【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】  第１の電極を有する第１の基板と、第２の電極を有する第２の基板と、第１の基板と第２の基板は所定の間隙を設けて対向し、第１の基板と第２の基板との間隙には液晶層を封入し、液晶層を介して対向する第１の電極と第２の電極の交点により画素部を構成し、前記液晶層に所定の信号を印加する集積回路基板を第１の基板あるいは第２の基板の少なくともいずれか一方の基板上に有し、前記集積回路基板には、第１の基板あるいは第２の基板の外の外部回路基板からの入力信号を印加する多数のＩＣ入力端子を液晶層から遠い側の辺に沿って下面側に配列し、前記集積回路基板が実装されている基板には、前記集積回路基板の外側に、前記液晶層から遠い側の辺に沿って基板入力端子を配列し、該基板入力端子は前記ＩＣ入力端子はＩＣ入力端子と個々に接続されている液晶表示パネルにおいて、
前記入力端子のうち接続抵抗が低いことを要するＩＣ入力端子に接続する基板入力端子は短くてかつ前記ＩＣ入力端子の幅よりも広い幅を与えられており、一方、前記低抵抗であることを要する入力端子に隣接していて比較的大きな接続抵抗が許容されるＩＣ入力端子は、集積回路基板の内部に設けられ他のＩＣ入力端子を迂回するＩＣ下入力配線を経由し集積回路基板の外部に設けた比較的幅の狭い基板入力端子と接続していることを特徴とする液晶表示パネル。
【請求項２】  前記集積回路基板は細長い矩形状であり、ＩＣ入力端子はその長辺に沿って配列されていることを特徴とする請求項１に記載の液晶表示パネル。
【請求項３】  前記基板入力端子は前記集積回路基板のＩＣ入力端子が配列されている長さよりも長い範囲にわたって配列されていることを特徴とする請求項１または２に記載の液晶表示パネル。
【請求項４】  前記集積回路基板は前記第１の電極および第２の電極のそれぞれと接続する出力端子を有し、該出力端子は前記集積回路基板の前記ＩＣ入力端子を設けない辺に沿って配置し、前記第１の電極あるいは前記第２の電極の少なくとも一方は、前記出力端子と前記第１の電極との接続部あるいは前記出力端子と前記第２の電極との接続部よりもさらに集積回路基板の内側に延長する第１の電極用配線ブロック部あるいは第２の電極用配線ブロック部を有することを特徴とする請求項１乃至３のいずれかに記載の液晶表示パネル。
【請求項５】  前記第１の電極用配線ブロック部あるいは前記第２の電極用配線ブロック部は、奇数番目の第１の電極の終端部の配線ブロック部と偶数番目の第１の電極の終端部の配線ブロック部、あるいは奇数番目の第２の電極の終端部の配線ブロック部と偶数番目の第２の電極の終端部の配線ブロック部の、２種類の配線ブロック部からなることを特徴とする請求項４に記載の液晶表示パネル。
【請求項６】  前記集積回路基板の一辺に第２の電極と接続する接続部と一部の第１の電極と接続する接続部を有し、前記一部の第１の電極と接続する接続部を有する集積回路基板の辺と接する辺に残りの第１の電極と接する接続部を有することを特徴とする請求項１乃至４のいずれかに記載の液晶表示パネル。
【請求項７】  前記第２の電極と接続する接続部は、集積回路基板下にて配線ブロック部で集中し、前記第１の電極の接続部に隣接する第２の電極の接続部は、他の第２の電極の接続部に近接する部分に延長して配置する配線ブロック部を有することを特徴とする請求項６に記載の液晶表示パネル。
【請求項８】  第１の基板あるいは第２の基板以外からの入力信号を印加する入力端子と前記入力信号を発生する外部回路基板との接続は、絶縁性ゴム材に導電性粒子を有する導通部と導電性粒子を含まない非導通部とを積層してなる異方性コネクターであることを特徴とする請求項１乃至７のいずれかに記載の液晶表示パネル。
【請求項９】  第１の基板あるいは第２の基板以外からの入力信号を印加する入力端子と前記入力信号を発生する外部回路基板との接続は、絶縁性ゴム材の内部あるいは周囲に導電性ワイヤーを有する異方性コネクターであることを特徴とする請求項１乃至７のいずれかに記載の液晶表示パネル。
【請求項１０】  前記集積回路基板のＩＣ出力端子を形成する面以外の面には、絶縁性を有する短絡防止層を有することを特徴とする請求項１乃至９のいずれかに記載の液晶表示パネル。
【請求項１１】  前記集積回路基板と異方性コネクターとの間には、隔離保持部を有することを特徴とする請求項１乃至１０のいずれかに記載の液晶表示パネル。
【請求項１２】  前記集積回路基板と異方性コネクターとの間には、隔離保持部を有し、前記集積回路基板と隔離保持部との間には固着樹脂を有することを特徴とする請求項１１に記載の液晶表示パネル。
【請求項１３】  前記隔離保持部は第１の基板と第２の基板との両方の基板に接することを特徴とする請求項１１または１２に記載の液晶表示パネル。
【請求項１４】  前記集積回路基板と外部回路基板との接続を行う第１の基板あるいは第２の基板上の少なくとも一方に設けるＩＣ下入力配線は、集積回路基板の短辺を経由して基板入力端子と接続することを特徴とする請求項１乃至１３のいずれかに記載の液晶表示パネル。
【請求項１５】  前記集積回路基板に設けるＩＣ入力端子は集積回路基板の長辺側に設けたことを特徴とする請求項１４に記載の液晶表示パネル。
【請求項１６】  第１の基板あるいは第２の基板上に設ける集積回路基板は複数有し、複数の集積回路基板のＩＣ入力端子には同一のフレキシブルプリント基板から信号が印加することを特徴とする請求項１５に記載の液晶表示パネル。
【手続補正２】
【補正対象書類名】明細書
【補正対象項目名】０００５
【補正方法】変更
【補正の内容】
【０００５】
【発明が解決しようとする課題】
本発明の目的は、集積回路に外部の回路基板から信号を入力するのに必要となる接続面積を低減すること。さらに、第１の電極間あるいは第２の電極間の電気的短絡の検査を容易にする電極構造、および第１の電極、あるいは第２の電極の断線の検査を容易にする電極構造を提案すること。さらに、集積回路基板と異方性コネクターの接続面積を低減するための構造、また集積回路基板への入力抵抗の許容値に応じた接続構造を提案することである。
【手続補正３】
【補正対象書類名】明細書
【補正対象項目名】０００７
【補正方法】変更
【補正の内容】
【０００７】
本発明の液晶表示パネルは、（１）第１の電極を有する第１の基板と、第２の電極を有する第２の基板と、第１の基板と第２の基板は所定の間隙を設けて対向し、第１の基板と第２の基板との間隙には液晶層を封入し、液晶層を介して対向する第１の電極と第２の電極の交点により画素部を構成し、前記液晶層に所定の信号を印加する集積回路基板を第１の基板あるいは第２の基板の少なくともいずれか一方の基板上に有し、前記集積回路基板には、第１の基板あるいは第２の基板の外の外部回路基板からの入力信号を印加する多数のＩＣ入力端子を液晶層から遠い側の辺に沿って下面側に配列し、前記集積回路基板が実装されている基板には、前記集積回路基板の外側に、前記液晶層から遠い側の辺に沿って基板入力端子を配列し、該基板入力端子は前記ＩＣ入力端子はＩＣ入力端子と個々に接続されている液晶表示パネルにおいて、
前記入力端子のうち接続抵抗が低いことを要するＩＣ入力端子に接続する基板入力端子は短くてかつ前記ＩＣ入力端子の幅よりも広い幅を与えられており、一方、前記低抵抗であることを要する入力端子に隣接していて比較的大きな接続抵抗が許容されるＩＣ入力端子は、集積回路基板の内部に設けられ他のＩＣ入力端子を迂回するＩＣ下入力配線を経由し集積回路基板の外部に設けた比較的幅の狭い基板入力端子と接続していることを特徴とする。
【手続補正４】
【補正対象書類名】明細書
【補正対象項目名】０００８
【補正方法】変更
【補正の内容】
【０００８】
本発明の液晶表示パネルは、（２）前記（１）の特徴に加え、集積回路基板は細長い矩形状であり、ＩＣ入力端子はその長辺に沿って配列されていることを特徴とする。
【手続補正５】
【補正対象書類名】明細書
【補正対象項目名】０００９
【補正方法】変更
【補正の内容】
【０００９】
本発明の液晶表示パネルは、（３）前記（１）または（２）の特徴に加え、基板入力端子は前記集積回路基板のＩＣ入力端子が配列されている長さよりも長い範囲にわたって配列されていることを特徴とする。
【手続補正６】
【補正対象書類名】明細書
【補正対象項目名】００１０
【補正方法】変更
【補正の内容】
【００１０】
本発明の液晶表示パネルは、（４）前記（１）乃至（３）のいずれかの特徴に加え、集積回路基板は前記第１の電極および第２の電極のそれぞれと接続する出力端子を有し、該出力端子は前記集積回路基板の前記ＩＣ入力端子を設けない辺に沿って配置し、前記第１の電極あるいは前記第２の電極の少なくとも一方は、前記出力端子と前記第１の電極との接続部あるいは前記出力端子と前記第２の電極との接続部よりもさらに集積回路基板の内側に延長する第１の電極用配線ブロック部あるいは第２の電極用配線ブロック部を有することを特徴とする。
【手続補正７】
【補正対象書類名】明細書
【補正対象項目名】００１１
【補正方法】変更
【補正の内容】
【００１１】
本発明の液晶表示パネルは、（５）前記（４）の特徴に加え、第１の電極用配線ブロック部あるいは前記第２の電極用配線ブロック部は、奇数番目の第１の電極の終端部の配線ブロック部と偶数番目の第１の電極の終端部の配線ブロック部、あるいは奇数番目の第２の電極の終端部の配線ブロック部と偶数番目の第２の電極の終端部の配線ブロック部の、２種類の配線ブロック部からなることを特徴とする。
【手続補正８】
【補正対象書類名】明細書
【補正対象項目名】００１２
【補正方法】変更
【補正の内容】
【００１２】
本発明の液晶表示パネルは、（６）前記（１）乃至（４）のいずれかの特徴に加え、集積回路基板の一辺に第２の電極と接続する接続部と一部の第１の電極と接続する接続部を有し、前記一部の第１の電極と接続する接続部を有する集積回路基板の辺と接する辺に残りの第１の電極と接する接続部を有することを特徴とする。
【手続補正９】
【補正対象書類名】明細書
【補正対象項目名】００１３
【補正方法】変更
【補正の内容】
【００１３】
本発明の液晶表示パネルは、（７）前記（６）の特徴に加え、第２の電極と接続する接続部は、集積回路基板下にて配線ブロック部で集中し、前記第１の電極の接続部に隣接する第２の電極の接続部は、他の第２の電極の接続部に近接する部分に延長して配置する配線ブロック部を有することを特徴とする。
【手続補正１０】
【補正対象書類名】明細書
【補正対象項目名】００１４
【補正方法】変更
【補正の内容】
【００１４】
本発明の液晶表示パネルは、（８）前記（１）乃至（７）のいずれかの特徴に加え、第１の基板あるいは第２の基板以外からの入力信号を印加する入力端子と前記入力信号を発生する外部回路基板との接続は、絶縁性ゴム材に導電性粒子を有する導通部と導電性粒子を含まない非導通部とを積層してなる異方性コネクターであることを特徴とする。
【手続補正１１】
【補正対象書類名】明細書
【補正対象項目名】００１５
【補正方法】変更
【補正の内容】
【００１５】
本発明の液晶表示パネルは、（９）前記（１）乃至（７）のいずれかの特徴に加え、第１の基板あるいは第２の基板以外からの入力信号を印加する入力端子と前記入力信号を発生する外部回路基板との接続は、絶縁性ゴム材の内部あるいは周囲に導電性ワイヤーを有
する異方性コネクターであることを特徴とする。
【手続補正１２】
【補正対象書類名】明細書
【補正対象項目名】００１６
【補正方法】変更
【補正の内容】
【００１６】
本発明の液晶表示パネルは、（１０）前記（１）乃至（９）のいずれかの特徴に加え、
集積回路基板のＩＣ出力端子を形成する面以外の面には、絶縁性を有する短絡防止層を有することを特徴とする。
【手続補正１３】
【補正対象書類名】明細書
【補正対象項目名】００１７
【補正方法】変更
【補正の内容】
【００１７】
本発明の液晶表示パネルは、（１１）前記（１）乃至（１０）のいずれかの特徴に加え、  集積回路基板と異方性コネクターとの間には、隔離保持部を有することを特徴とする。
【手続補正１４】
【補正対象書類名】明細書
【補正対象項目名】００１８
【補正方法】変更
【補正の内容】
【００１８】
本発明の液晶表示パネルは、（１２）前記（１１）の特徴に加え、前記集積回路基板と異方性コネクターとの間には、隔離保持部を有し、前記集積回路基板と隔離保持部との間には固着樹脂を有する。
【手続補正１５】
【補正対象書類名】明細書
【補正対象項目名】００１９
【補正方法】変更
【補正の内容】
【００１９】
本発明の液晶表示パネルは、（１３）前記（１１）または（１２）の特徴に加え、隔離保持部は第１の基板と第２の基板との両方の基板に接することを特徴とする。
【手続補正１６】
【補正対象書類名】明細書
【補正対象項目名】００２０
【補正方法】変更
【補正の内容】
【００２０】
本発明の液晶表示パネルは、（１４）前記（１）乃至（１３）の特徴に加え、集積回路基板と外部回路基板との接続を行う第１の基板あるいは第２の基板上の少なくとも一方に設けるＩＣ下入力配線は、集積回路基板の短辺を経由して基板入力端子と接続することを特徴とする。
【手続補正１７】
【補正対象書類名】明細書
【補正対象項目名】００２１
【補正方法】変更
【補正の内容】
【００２１】
本発明の液晶表示パネルは、（１５）前記（１４）の特徴に加え、集積回路基板に設けるＩＣ入力端子は集積回路基板の長辺側に設けたことを特徴とする。
【手続補正１８】
【補正対象書類名】明細書
【補正対象項目名】００２２
【補正方法】変更
【補正の内容】
【００２２】
本発明の液晶表示パネルは、（１６）前記（１５）の特徴に加え、第１の基板あるいは第２の基板上に設ける集積回路基板は複数有し、複数の集積回路基板のＩＣ入力端子には同一のフレキシブルプリント基板から信号が印加することを特徴とする。
【手続補正１９】
【補正対象書類名】明細書
【補正対象項目名】００３４
【補正方法】変更
【補正の内容】
【００３４】
また、第１の基板５と所定の間隙を設けて対向する第２の基板６上には、透明導電膜からなる第２の電極１４を設ける。第２の電極１４は表示領域では１本目の第２の電極４５から、ｑ本目の第２の電極４７までほぼ平行するストライプ状の列電極パターンであり、代表として１本目の第２の電極４５とｐ本目の電極４６とｑ本目の第２の電極４７とを示している。
【手続補正２０】
【補正対象書類名】明細書
【補正対象項目名】００３５
【補正方法】変更
【補正の内容】
【００３５】
ｎ本の第１の電極１３とｑ本の第２の電極１４からなるｎ＊ｑのドットマトリクス型の液晶表示パネルとなる。また表示領域の周囲では液晶層７を密閉するために、シール材１０を有する。またシール材１０の一部には、封孔部（図示せず）を有し、液晶層７を注入後封止材（図示せず）により密閉している。液晶層７は、２１０度から２６０度のいずれかのツイスト角度のスーパーツイストネマティック（ＳＴＮ）液晶を採用し、第１の基板５上と第２の基板６上には、液晶層７を所定の方向に揃えるための配向膜（図示せず）を有する。
【手続補正２１】
【補正対象書類名】明細書
【補正対象項目名】００３６
【補正方法】変更
【補正の内容】
【００３６】
また、第２の基板６上に設ける第２の電極１４は、表示領域の周囲に設ける第１の異方性導電性シール部５１と第２の異方性導電性シール部５２とにより第１の基板５上の第２の電極用ＩＣ接続部６５に接続する。異方性導電シール部は絶縁性樹脂に導電粒（図示せず）を混合しているため、第２の電極１４から導電粒を介して第２の電極用ＩＣ接続部６５に接続できる。また、第１の電極１３は、表示領域外周部で第１の電極用ＩＣ接続部５５に接続する。以上に示すように第１の電極１３と第２の電極１４とは、第１の基板５上
に設ける第１の電極用ＩＣ接続部５５と第２の電極用ＩＣ接続部６５に終結することができる。前記ＩＣ接続部５５、６５は、外部回路基板１６からの信号により所定の電圧波形を各画素部に印加するための集積回路基板（ＩＣ）１１とチップ・オン・ガラスにより接続する。
【手続補正２２】
【補正対象書類名】明細書
【補正対象項目名】００３８
【補正方法】変更
【補正の内容】
【００３８】
さらに集積回路基板１１と第１の電極用ＩＣ接続部５５と第２の電極用ＩＣ接続部６５を図４を用いて詳細に説明する。第２の電極用ＩＣ接続部６５は集積回路基板１１の左右に配置し、第１の電極用ＩＣ接続部５５に接続する第１に出力端子７５に近接する第２の出力端子７６を有する。そのため、第２の電極用ＩＣ接続部では、集積回路基板１１の外周に沿って第２の出力端子７６から延長する第２の配線ブロック８５を有する。第２の配線ブロック８５は、第１の電極用ＩＣ接続部５５から集積回路基板１１の内部に延長する第１の配線ブロック８６、８７と離れ、かつ第２の配線ブロック８５内の配線は、相互に近接する配置を採用する。
【手続補正２３】
【補正対象書類名】明細書
【補正対象項目名】００３９
【補正方法】変更
【補正の内容】
【００３９】
また、第１の電極用ＩＣ接続部５５は集積回路基板１１の中央に配置する。集積回路基板１１には第１の電極用ＩＣ接続部５５と接続するための第１の出力端子７５を有し、第１の出力端子７５の一部は第２の出力端子７６に近接する。第１の電極用ＩＣ接続部５５は、集積回路基板１１のＩＣ入力端子７７、７８の方向に延長する第１の配線ブロック８６、８７（図４）を有する。さらに第１の配線ブロックは、奇数番目の第１の電極に接続する第１の奇数配線ブロック８６と第１の偶数配線ブロック８７とを有する。第１の奇数配線ブロック８６と第１の偶数配線ブロック８７とは、集積回路基板１１の第１の出力端子７５から延長する長さが異なり、第１の奇数配線ブロック８６は短く、第１の偶数配線ブロック８７が長いため、第１の電極１３間の電気的短絡の評価を第１の奇数配線ブロック８６と第１の偶数配線ブロック８７を独立して接続することにより、集積回路基板１１を実装する前に簡単に評価することが可能となる。
【手続補正２４】
【補正対象書類名】明細書
【補正対象項目名】００４１
【補正方法】変更
【補正の内容】
【００４１】
つぎに、集積回路基板１１の外部回路基板１６（図２）からの信号を入力する入力部に関して説明する。集積回路基板１１には、複数のＩＣ入力端子７７、７８を有する。ＩＣ入力端子Ｂ７８は異方性導電性フィルム材に内在する導電粒９１（図５）により第１の基板５上に設けるＩＣ入力配線７３（図４）に接続し、さらに外部回路基板１６との接続を行うための基板入力端子８０に接続する。なお一部のＩＣ入力端子Ａ７７は、異方性導電性フィルム材により広幅の基板入力端子７９と短い距離で接続している。これら配線の差は、各ＩＣ入力端子は、外部回路（図示せず）からＩＣ入力端子までの接続抵抗の大きさに異なる制限があることによる。ＩＣ入力端子Ａ７７は、小さい接続抵抗とするために、広い面積の基板入力端子Ａ７９が、短い長さのＩＣ入力配線を介して接続している。
【手続補正２５】
【補正対象書類名】明細書
【補正対象項目名】００４２
【補正方法】変更
【補正の内容】
【００４２】
また、ＩＣ入力端子Ｂ７８は、比較的大きな接続抵抗が許容されるため、他の端子と同等の面積を有する基板入力端子Ｂ８０が接続し、ＩＣ下入力配線Ｂ７３が接続している。本発明では、基板入力端子の面積が大きい部分の隣りにもＩＣ入力端子を設けることを可能とし、さらに、前記ＩＣ入力端子から基板入力端子までのＩＣ入力配線の一部は、集積回路基板１１の下側に設ける構造を採用する。また、ＩＣ入力配線の集積回路基板１１の下側から外側に出るＩＣ下入力配線８４、８８は、第２の電極用ＩＣ接続部６５を設ける辺と同一な辺にほぼ設けている。本第１の実施形態では、集積回路基板１１の左側に位置するＩＣ左下入力端子８４と右側に位置するＩＣ右下入力端子８８を採用している。
【手続補正２６】
【補正対象書類名】明細書
【補正対象項目名】００４５
【補正方法】変更
【補正の内容】
【００４５】
さらに、液晶表示装置は、図１、図２に示すように、第１の偏光板８の風防ガラス２側には、見切板３３を有し、通信センサー２１上には通信センサー２１の遮蔽と通信を行うためにセンサー窓部を設ける。以上の構成により液晶表示モジュールは、液晶表示装置ケース１と風防ガラス２と裏蓋３内に収容される。また液晶表示装置には液晶表示パネルの表示内容をオン、オフ、または変更し、あるいは光源の点灯を行う複数のスイッチ２８、２９、３０、３１を有する。
【手続補正２７】
【補正対象書類名】明細書
【補正対象項目名】００５１
【補正方法】変更
【補正の内容】
【００５１】
つぎに、集積回路基板１１の外部回路基板からの信号を印加する部分に関して説明する。集積回路基板１１には、複数のＩＣ入力端子を有する。ＩＣ入力端子は異方性導電性フィルム材に内在する導電粒９１（図５）により第１の基板５上に設けるＩＣ入力配線に接続し、さらに外部回路基板との接続を行うための基板入力端子に接続する。ＩＣ入力端子は、外部回路からＩＣ入力端子までの接続抵抗の大きさにそれぞれ制限がある。入力端子Ａ７７には、小さい接続抵抗とするために、広い面積の基板入力端子Ａ７９が、短い長さのＩＣ入力配線を介して接続している。
【手続補正２８】
【補正対象書類名】明細書
【補正対象項目名】００５２
【補正方法】変更
【補正の内容】
【００５２】
また、入力端子Ｂ７８には、比較的大きな接続抵抗が許容されるため、他の端子と同等の面積を有する基板入力端子Ｂ８０が接続し、ＩＣ入力配線Ｂ７３が接続している。本発明では、基板入力端子の面積が大きい部分の隣りにもＩＣ入力端子を設けることを可能とし、さらに、前記ＩＣ入力端子から基板入力端子までのＩＣ入力配線の一部は、集積回路基板１１の下側に設ける構造を採用する。また、ＩＣ入力配線の集積回路基板１１の下側から外側に出るＩＣ下入力配線８４、８８は、第２の電極用ＩＣ接続部を設ける辺と同一な辺にほぼ設けている。本第２の実施形態では、集積回路基板１１の左側に位置するＩＣ左下入力端子８４と右側に位置するＩＣ右下入力端子８８を採用している。
【手続補正２９】
【補正対象書類名】明細書
【補正対象項目名】００６２
【補正方法】変更
【補正の内容】
【００６２】
そのため、本第４の実施形態では、集積回路基板１１と異方性コネクター１２との間にプラスチック製の隔離保持部９７を設ける。隔離保持部９７は、集積回路基板１１の周囲に設ける固着樹脂９８と第２の基板６上に設ける補強樹脂９９とにより固定する。固着樹脂９８は、隔離保持部９７の一部に設ける注入孔（図示せず）により充填する。隔離保持部９７の一部は、外部回路基板１６に設ける外部回路基板溝１０１まで伸びており、異方性コネクター１２の一方の側壁を保持する。異方性コネクター１２の他方の側壁は、液晶表示パネル等を保持するモジュール枠２５により保持する。
【手続補正３０】
【補正対象書類名】明細書
【補正対象項目名】００６９
【補正方法】変更
【補正の内容】
【００６９】
また、第１の電極１３は、表示領域外周部で第１の電極用ＩＣ接続部５５に接続する。第１の電極用ＩＣ接続部５５は、第１の集積回路基板１０５の第１の出力端子７５（図９には示さないが図４の７５と同等）に接続する。第２の電極１４は、第２の電極用ＩＣ接続部６５に接続する（図１０）。第２の電極用ＩＣ接続部６５は、第２の集積回路基板１０６の第２の出力端子１２１に接続する。集積回路基板１０５、１０６は、チップ・オン・ガラスにより実装する。
【手続補正３１】
【補正対象書類名】明細書
【補正対象項目名】００７０
【補正方法】変更
【補正の内容】
【００７０】
また、第１の集積回路基板１０５は、外部回路基板（図示せず）からの信号を入力するためのＩＣ入力端子７７、７８を有する。第１の集積回路基板１０５は、第１の基板５の一辺に設けてある。第１の電極用ＩＣ接続部５５は第１の集積回路基板１０５の中央に配置する。第１の集積回路基板には第１の電極用ＩＣ接続部と接続するための第１の出力端子を有する。また、第１の集積回路基板１０５には、複数のＩＣ入力端子を有する。ＩＣ入力端子は、異方性導電性フィルム材（図示せず）により第１の基板５に設けるＩＣ入力配線に接続し、さらに外部回路基板との接続を行うための基板入力端子に接続する。ＩＣ入力端子は、外部回路からＩＣ入力端子までの接続抵抗の大きさに制限がある。入力端子Ａ７７には、小さい接続抵抗とするために、広い面積の基板入力端子が短い長さのＩＣ入力配線を介して接続している。
【手続補正３２】
【補正対象書類名】明細書
【補正対象項目名】００７８
【補正方法】変更
【補正の内容】
【００７８】
また、集積回路基板には、第１の基板あるいは第２の基板以外からの入力信号を印加する基板入力端子を設け、集積回路基板のＩＣ入力端子と基板入力端子とを入力配線で接続するに当り、一部のＩＣ入力端子は短い入力配線で基板入力端子と接続し、他のＩＣ入力端子は集積回路基板の内部へ迂回するＩＣ下入力配線を経由して基板入力端子に接続する構成としたことにより、接続抵抗の低いＩＣ入力端子と比較的高い接続抵抗が許容されるＩＣ入力端子とを隣接させ得るので、集積回路基板の辺におけるＩＣ入力端子の配置を密にすることができる。また、集積回路基板下にＩＣ下入力配線を設けることができるため、配線を微細化しても集積回路基板により保護できて断線がなく、さらにごみ等による配線間の電気的短絡も防止することができる。さらに、集積回路基板の面積を大きくすることなく、複数本の外部回路基板からの配線を集積回路外に配置することが可能となり、外部回路基板との接続面積を効率よく利用できる。
【手続補正３３】
【補正対象書類名】明細書
【補正対象項目名】符号の説明
【補正方法】変更
【補正の内容】
【符号の説明】
１  液晶表示装置ケース
２  風防ガラス
３  裏蓋
５  第１の基板
６  第２の基板
７  液晶層
８  第１の偏光板
９  第２の偏光板
１０  シール材
１１  集積回路基板
１２  異方性コネクター
１３  第１の電極
１４  第２の電極
１５  光源
１６  外部回路基板
１７  電池
２１  通信センサー
３３  見切板
５１  第１の異方性導電性シール部
５２  第２の異方性導電性シール部
５５  第１の電極用ＩＣ接続部
６５  第２の電極用ＩＣ接続部
７５  第１の出力端子
７６  第２の出力端子
７７  ＩＣ入力端子Ａ
７８  ＩＣ入力端子Ｂ
７９  基板入力端子Ａ
８０  基板入力端子Ｂ
９１  導電粒
９６  絶縁層
９７  隔離保持部
９８  固着樹脂
９９  補強樹脂
１０１  外部回路基板溝
１０５  第１の集積回路基板
１０６  第２の集積回路基板
１１０  第１のＦＰＣ接続部
１１１  第２のＦＰＣ接続部
１１２  第３のＦＰＣ接続部
１１５  フレキシブルプリント基板
１１６  ＦＰＣ接続端子
【手続補正３４】
【補正対象書類名】図面
【補正対象項目名】図２
【補正方法】変更
【補正の内容】
【図２】
2001337341.tif 000001
【手続補正３５】
【補正対象書類名】図面
【補正対象項目名】図８
【補正方法】変更
【補正の内容】
【図８】
2001337341.tif 000002
【手続補正３６】
【補正対象書類名】図面
【補正対象項目名】図９
【補正方法】変更
【補正の内容】
【図９】
2001337341.tif 000003
【手続補正３７】
【補正対象書類名】図面
【補正対象項目名】図１０
【補正方法】変更
【補正の内容】
【図１０】
2001337341.tif 000004